(57)【特許請求の範囲】
【請求項１】
写真フイルムが単一のスプールに巻回され、リーダ部を含む全てのフイルムが収納されたフイルムカートリッジを使用し、前記フイルムカートリッジが装着されるフイルム供給部と、前記フイルム供給部から供給されるフイルムを巻き取る巻取リールを有するフイルム巻取部との間で前記フイルムを搬送するフイルム搬送装置において、
前記フイルムカートリッジが収納されるカートリッジ収納部と、該カートリッジ収納部に収納されたフイルムカートリッジのスプールと嵌合可能に軸方向にスライド自在に配設されるとともに該スプールと嵌合する方向にバネ付勢されているスプール駆動軸と、前記スプール駆動軸に回転駆動力を加える駆動手段であって、フイルムローディング時に前記フイルムカートリッジからリーダ部を送り出す方向に前記スプール駆動軸を回転させる駆動手段と、を有する前記フイルム供給部と、
前記スプール駆動軸がフイルムカートリッジのスプールと嵌合する所定の期間、前記スプール駆動軸を標準のフイルム搬送速度よりも低速で駆動するように前記駆動手段を制御する制御手段と、
を備えたことを特徴とするフイルム搬送装置。
【請求項２】
写真フイルムが単一のスプールに巻回され、リーダ部を含む全てのフイルムが収納されたフイルムカートリッジを使用し、前記フイルムカートリッジが装着されるフイルム供給部と、前記フイルム供給部から供給されるフイルムを巻き取る巻取リールを有するフイルム巻取部との間で前記フイルムを搬送するフイルム搬送装置において、
前記フイルムカートリッジが収納されるカートリッジ収納部と、該カートリッジ収納部に収納されたフイルムカートリッジのスプールと嵌合可能に軸方向にスライド自在に配設されるとともに該スプールと嵌合する方向にバネ付勢されているスプール駆動軸と、前記スプール駆動軸に回転駆動力を加える駆動手段であって、フイルムローディング時に前記フイルムカートリッジからリーダ部を送り出す方向に前記スプール駆動軸を回転させる駆動手段と、を有する前記フイルム供給部と、
前記スプール駆動軸の軸方向のスライド位置から該スプール駆動軸が前記フイルムカートリッジのスプールと嵌合したか否かを検出する嵌合検出手段と、
前記嵌合検出手段が前記スプール駆動軸とフイルムカートリッジのスプールとの嵌合を検出するまでの期間、前記スプール駆動軸を標準のフイルム搬送速度よりも低速で駆動するように前記駆動手段を制御する制御手段と、
を備えたことを特徴とするフイルム搬送装置。
【発明の詳細な説明】
【０００１】
【発明の属する技術分野】
本発明はフイルム搬送装置に係り、特に写真フイルムが単一のスプールに巻回されているフイルムカートリッジを使用するカメラ、フイルムスキャナ等に適用されるフイルム搬送装置に関する。
【０００２】
【従来の技術】
従来のこの種のフイルム搬送装置には、フイルムカートリッジが所定位置に装着されると、その後、電動でフイルムカートリッジからフイルムを引き出し、フイルムリーダ部を巻取リールに巻き付ける、いわゆるフイルムローディング機能を備えているものがある。（特許文献１、２）。
【０００３】
特許文献１に記載のフイルム搬送装置は、フイルムのローディング初期にはフイルムのパーフォレーションと嵌合するスプロケットと巻取リールとを同時に駆動し、ローディング終期には巻取リールのみを駆動してフイルムローディングを行うようにしており、また、ローディング終期におけるフイルム送り量からフイルムが巻取リールに良好に巻き取られているか否かを検知するようにしている。
【０００４】
一方、従来のフイルムカートリッジは、フイルム使用前のリーダ部はフイルムカートリッジから露出しているが、近年、使用前後にかかわらず、リーダ部を含む全てのフイルムがフイルムカートリッジ内に収納され、リーダ部が露出していないものが提案されている。この種のフイルムカートリッジは、カートリッジのスプールを回転させることによってカートリッジ内に収納されていたフイルムが外部に送り出されるように構成されている。
【０００５】
特許文献２に記載のフイルム搬送装置は、上記フイルムカートリッジを使用してフイルムローディングを行う際に、フイルム移動速度を検出し、その移動速度の変化から巻取リールにフイルムが巻き付けられたか否かを検出するようにしている。
【０００６】
【特許文献１】
特開昭６２−１７２３３２号公報
【０００７】
【特許文献２】
特開平３−１６７５３７号公報
【０００８】
【発明が解決しようとする課題】
ところで、フイルムローディング時にフイルムを巻取リールに良好に巻き付けることができない原因として、フイルムカートリッジのスプールにスプール駆動軸が噛み合わないために、フイルムカートリッジからフイルムを送り出すことができないことがある。
【０００９】
本発明はこのような事情に鑑みてなされたもので、リーダ部がフイルムカートリッジから露出していないフイルムでも自動的にフイルムローディングすることができ、特にフイルムカートリッジのスプールとスプール駆動軸との嵌合が確実に行われ、フイルムカートリッジからのフイルムの送り出しを良好に行うことができるフイルム搬送装置を提供することを目的とする。
【００１０】
【課題を解決するための手段】
前記目的を達成するために請求項１に係る発明は、写真フイルムが単一のスプールに巻回され、リーダ部を含む全てのフイルムが収納されたフイルムカートリッジを使用し、前記フイルムカートリッジが装着されるフイルム供給部と、前記フイルム供給部から供給されるフイルムを巻き取る巻取リールを有するフイルム巻取部との間で前記フイルムを搬送するフイルム搬送装置において、前記フイルムカートリッジが収納されるカートリッジ収納部と、該カートリッジ収納部に収納されたフイルムカートリッジのスプールと嵌合可能に軸方向にスライド自在に配設されるとともに該スプールと嵌合する方向にバネ付勢されているスプール駆動軸と、前記スプール駆動軸に回転駆動力を加える駆動手段であって、フイルムローディング時に前記フイルムカートリッジからリーダ部を送り出す方向に前記スプール駆動軸を回転させる駆動手段と、を有する前記フイルム供給部と、
前記スプール駆動軸がフイルムカートリッジのスプールと嵌合する所定の期間、前記スプール駆動軸を標準のフイルム搬送速度よりも低速で駆動するように前記駆動手段を制御する制御手段と、を備えたことを特徴としている。
【００１１】
請求項１に係る発明によれば、スプール駆動軸がフイルムカートリッジのスプールと嵌合する所定の期間、例えばスプール駆動軸が１回転する間、スプール駆動軸を標準のフイルム搬送速度よりも低速で駆動し、これによりスプール駆動軸がスプールに確実に嵌合できるようにしている。尚、スプール駆動軸とスプールとが嵌合していない状態でスプール駆動軸を標準のフイルム搬送速度となるように駆動すると、スプール駆動軸はスプールに嵌合せずに空転するおそれがあり、この場合にはスプール駆動軸及びスプールを傷めるという問題がある。
【００１２】
請求項２に係る発明は、写真フイルムが単一のスプールに巻回され、リーダ部を含む全てのフイルムが収納されたフイルムカートリッジを使用し、前記フイルムカートリッジが装着されるフイルム供給部と、前記フイルム供給部から供給されるフイルムを巻き取る巻取リールを有するフイルム巻取部との間で前記フイルムを搬送するフイルム搬送装置において、前記フイルムカートリッジが収納されるカートリッジ収納部と、該カートリッジ収納部に収納されたフイルムカートリッジのスプールと嵌合可能に軸方向にスライド自在に配設されるとともに該スプールと嵌合する方向にバネ付勢されているスプール駆動軸と、前記スプール駆動軸に回転駆動力を加える駆動手段であって、フイルムローディング時に前記フイルムカートリッジからリーダ部を送り出す方向に前記スプール駆動軸を回転させる駆動手段と、を有する前記フイルム供給部と、前記スプール駆動軸の軸方向のスライド位置から該スプール駆動軸が前記フイルムカートリッジのスプールと嵌合したか否かを検出する嵌合検出手段と、前記嵌合検出手段が前記スプール駆動軸とフイルムカートリッジのスプールとの嵌合を検出するまでの期間、前記スプール駆動軸を標準のフイルム搬送速度よりも低速で駆動するように前記駆動手段を制御する制御手段と、を備えたことを特徴としている。
【００１３】
請求項２に係る発明によれば、前記嵌合検出手段がスプール駆動軸とスプールとの嵌合を検出するまでの期間、スプール駆動軸を標準のフイルム搬送速度よりも低速で駆動し、これによりスプール駆動軸をスプールに確実に嵌合させて所望のフイルム搬送を行うようにいている。
【００１４】
【発明の実施の形態】
以下添付図面に従って本発明に係るフイルム搬送装置の好ましい実施の形態を詳説する。
【００１５】
図１は本発明に係るフイルム搬送装置を含むフイルムスキャナの一実施例を示すブロック図である。
【００１６】
同図に示すように、このフイルムスキャナは、主として照明用の蛍光灯１０、、撮影レンズ１２、ＣＣＤラインセンサ１４と、図示しない画像メモリ等を含む画像処理装置１６、及び本発明に係るフイルム搬送装置等から構成されている。
【００１７】
このフイルムスキャナに使用される現像済みの写真フイルム２０は、例えば、図６に示すように１コマの前端にパーフォレーション２０Ａが穿設されており、単一のスプール２２Ａを有するフイルムカートリッジ２２内に全て巻き取られるようになっている。また、フイルム２０のリーダ部２０Ｂには、パーフォレーションが穿設されていない。即ち、このパーフォレーション２０Ａは、１コマの画像記録領域を特定するために使用されるものである。
【００１８】
図１において、蛍光灯１０は、その長手方向がフイルム２０の搬送方向と直交するように配設され、フイルム２０の全幅にわたって照明できるようになっている。フイルム２０を透過した透過光は、撮影レンズ１２を介してフイルム搬送方向と直交する方向に配設されたＣＣＤラインセンサ１４の受光面に結像される。尚、フイルム画像を読み取る場合には、後述するようにフイルム２０を一定速度で搬送する。
【００１９】
このＣＣＤラインセンサ１４の受光面に結像された画像光は、Ｒ，Ｇ，Ｂフィルタが設けられた各センサで電荷蓄積され、光の強さに応じた量のＲ，Ｇ，Ｂの信号電荷に変換される。このようにして蓄積されたＲ，Ｇ，Ｂの信号電荷は、図示しないＣＣＤ駆動回路から加えられる転送ゲートパルスによってシフトレジスタに読み出され、レジスタ転送パルスによって順次読み出される。
【００２０】
フイルム画像の読取り時にＣＣＤラインセンサ１４から読み出される１コマ分のＲ，Ｇ，Ｂ信号は、画像処理装置１６に出力される。画像処理装置は、入力する１コマ分のＲ，Ｇ，Ｂ信号を図示しないＡ／Ｄコンバータによってデジタル信号に変換し、所要の信号処理をしたのち画像メモリに記憶する。この画像メモリに記憶された１コマ分のＲ，Ｇ，Ｂ信号は、繰り返し読み出され、Ｄ／Ａコンバータによってアナログ信号に変換されたのち、エンコーダでＮＴＳＣ方式の複合映像信号に変換されてモニタＴＶ１８に出力される。これにより、モニタＴＶ１８よってフイルム画像を見ることができるようになる。
【００２１】
次に、本発明に係るフイルム搬送装置について詳述する。
【００２２】
このフイルム搬送装置は、主としてフイルムカートリッジ２２が装着されるフイルム供給部３０と、このフイルム供給部３０から供給されるフイルム２０を巻き取る巻取リール４２を有するフイルム巻取部４０と、フイルム供給部３０、フイルム巻取部４０間においてフイルム２０を案内するフイルムガイド部５０と、フイルムガイド部５０に配設されているキャプスタン５１、５２とから構成されている。
【００２３】
フイルム供給部３０は、図２に示すように正逆転可能なモータ３１と、クラッチ付きのギア３２と、カートリッジ収納部３４（図３参照）に収納されたフイルムカートリッジ２２のスプール２２Ａと嵌合するスプール駆動軸３３Ａを含むギア３３とを有し、スプール２２Ａを正逆転できるように構成されている。尚、クラッチ付きのギア３２は、ギア３２Ａが固定された回転軸３２Ｂと、この回転軸３２Ｂに挿通されバネ３２Ｃによって押圧されているギア３２Ｄと、ギア３２Ａと３２Ｄとの間に介在するフェルト等の摩擦部材３２Ｅとから構成されており、モータ３２からの駆動力によってギア３２Ｄが図１上で時計回り方向に回転している場合には、ギア３２Ｄは回転軸３２Ｂに対して完全ロックされるが、ギア３２Ａの回転速度がギア３２Ｄの回転速度よりも速くなる場合には、摩擦クラッチが作用してギア３２Ｄは回転軸３２Ｂに対してスリップするようになっている。
【００２４】
また、スプール駆動軸３３Ａを含むギア３３は、図３に示すようにスプール駆動軸３３Ａに回転駆動力を伝達することができ、一方、スプール駆動軸３３Ａはギア３３に対して軸方向にスライド自在に配設されるとともに、バネ３３Ｂによってフイルムカートリッジ２２のスプール２２Ａと嵌合する方向にバネ付勢されている。
【００２５】
更に、スプール駆動軸３３Ａには、フランジ状のスイッチ駆動部材３３Ｃが設けられており、このスイッチ駆動部材３３Ｃに対向する位置に嵌合検出スイッチ３５が配設されている。即ち、フイルムカートリッジ２２は、カートリッジ収納部３４に収納されたのち、蓋３４Ａによってスプール２２Ａがスプール駆動軸３３Ａと嵌合するように押圧されるが、スプール２２Ａがスプール駆動軸３３Ａと嵌合しない場合には、スプール駆動軸３３Ａはスプール２２Ａによってバネ３３Ｂの付勢力に抗して押し下げられるようになる。そして、スプール駆動軸３３Ａが押し下げられると、スプール駆動軸３３Ａとともにスイッチ駆動部材３３Ｃも押し下げられ、嵌合検出スイッチ３５のキートップが押下される。尚、嵌合検出スイッチ３５は、そのキートップが押下されるとオフとなり、キートップの押下が解除されるとオンとなるもので、図示しない制御手段は、嵌合検出スイッチ３５からの出力によってスプール駆動軸３３Ａとスプール２２Ａとの嵌合の有無を検知することができる。
【００２６】
フイルム巻取部４０は、図１に示すように巻取リール４２、バネ付勢されている押えローラ４４、４４等を有しており、巻取リール４２はフイルム巻取時にクラッチ付きのギア４６を介して反時計回り方向に駆動される。
【００２７】
また、キャプスタン５１、５２は、ピンチローラ５３、５４との間でフイルム２０を挟持してフイルム２０を所定の速度で搬送するもので、図２に示すようにキャプスタンモータ５５からギア５５Ａ、クラッチ付きのギア５６、及びギア５７を介してキャプスタン５１に回転駆動力が伝達されるようになっている。尚、キャプスタン５２にも、上記と同様にして駆動手段（図示せず）から回転駆動力が伝達されるようになっている。
【００２８】
次に、上記構成のフイルム搬送装置の作用について説明する。
【００２９】
先ず、フイルムカートリッジ２２がフイルム供給部３０に装着されると、自動的に又はローディング指示により、フイルムローディングが開始される。即ち、図１において、フイルムカートリッジ２２のスプール２２Ａ及び巻取リール４２は反時計回り方向に回転させられ、キャプスタン５１、５２は時計回り方向に回転させられるが、スプール２２Ａを駆動するスプール駆動軸３３Ａは、図４及び図５に示すように回転速度が２段階に切り替えられる。
【００３０】
図４はフイルムローディング時におけるフイルム供給部３０における動作を示すフローチャートである。同図に示すように、フイルムローディングが開始されると、先ずスプール駆動軸３３Ａを低速で回転させる（ステップ１００）。尚、スプール駆動軸３３Ａの低速での回転動作は、スプール駆動軸３３Ａをフイルムカートリッジ２２のスプール２２Ａに良好に嵌合させるための動作であり、標準速度でフイルム２０を送り出すときの回転速度に比べて十分に遅い回転速度である。
【００３１】
そして、スプール駆動軸３３Ａの低速回転中に、嵌合検出スイッチ３５がオンしたか否か（即ち、スプール駆動軸３３Ａがスプール２２Ａに嵌合したか否か）を判別し（ステップ１０２）、嵌合検出スイッチ３５がオンすると、フイルムカートリッジ２２から標準速度でフイルム２０が送り出されるようにスプール駆動軸３３Ａの回転速度を高速に切り替える（ステップ１０４）。
【００３２】
その後、フイルム２０がキャプスタン５１を通過するに十分な時間が経過したことがタイマーによって測定されると（ステップ１０６）、モータ３１を停止しフイルムの送り出しを停止する（ステップ１０８）。
【００３３】
ところで、ステップ１０４において、標準速度でフイルム２０が送り出されるようにスプール駆動軸３３Ａが駆動されると、まず、フイルムカートリッジ２２内において巻き緩みの現象が生じてフイルムカートリッジ２２からフイルム２０が送り出されてくる。尚、スプール２２Ａを一定速度で回転させても、フイルムカートリッジ２２内の摩擦、引っ掛かり等によってフイルム２０の送り出し速度は不安定になっている。そこで、キャプスタン５１は、そのフイルム搬送速度がフイルムカートリッジ２２から送り出されるフイルム２０の最大瞬間速度以上となるように駆動される。
【００３４】
上記フイルムの送り出しが行われ、フイルム２０のリーダ部２０Ｂがキャプスタン５１を通過すると、フイルム２０の主たる駆動源はキャプスタン５１に移行するため、上述したようにフイルム送り出しは停止される。
【００３５】
そして、キャプスタン５１、５２によってフイルム２０が引き出され、フイルムカートリッジ２２内のフイルム２０が巻き締まり状態となると、その後のスプール駆動軸３３Ａの回転は、前述したクラッチ付きのギア３２によって吸収される。
【００３６】
一方、キャプスタン５１によって所定の速度で搬送されるフイルム２０は、更にキャプスタン５２によって、キャプスタン５１による搬送速度よりも速い速度で搬送される。キャプスタン５１と５２の速度差分は、クラッチ付きのギア５６によって吸収される。このように２つのキャプスタン５１、５２を使用することにより、キャプスタン５１、５２間における画像読取り位置において、フイルム２０の平面性を上げることができる。
【００３７】
キャプスタン５２によって所定の速度で搬送されるフイルム２０は、フイルム巻取部４０に送られる。フイルム巻取部４０の巻取リール４２は、その巻取速度がキャプスタン５２による搬送速度よりも速くなるようにクラッチ付きのギア４６を介して駆動されている。そして、フイルム２０のリーダ部２０Ｂは巻取リール４２との摩擦力によって巻き付けられるが、巻付け終了後の巻取速度とフイルム搬送速度の速度差分は、クラッチ付きのギア４６によって吸収される。
【００３８】
図５はフイルムローディング時におけるフイルム供給部３０における他の動作を示すフローチャートである。同図に示すように、フイルムローディングが開始されると、先ずスプール駆動軸３３Ａを低速で一定角度回転させる（ステップ１１０）。上記一定角度とは、停止しているスプール２２Ａに対してスプール駆動軸３３Ａを嵌合させるために十分な角度であり、フイルムカートリッジのスプールとスプール駆動軸の相互間の嵌合部の形状によっても異なるが、最大３６０°（本実施例の形状の場合には１８０°）回転させればよい。勿論、嵌合を確実に行わせるために、スプール駆動軸を３６０°以上回転させてもよい。
【００３９】
その後の動作は、図４に示したフローチャートと同様なため、同符号を付し、詳細な説明は省略する。また、図５に示す実施例では、図３に示した嵌合検出スイッチ３５は不要である。
【００４０】
尚、本実施例では、標準速度でフイルムが所定時間送り出されると、フイルムの送り出しを停止するようにしたが、フイルムのリーダ部がキャプスタン５１を通過した時点を光学センサ等で検出し、その後、フイルムの送り出しを停止するようにしてもよい。更には、フイルムの送り出しは、停止しなくてもよく、この場合には、キャプスタン５１、５２でのフイルム搬送速度は、フイルムカートリッジ２２からの送り出し速度よりも速いため、その速度差分は、クラッチ付きのギア３２のクラッチによって吸収される。
【００４１】
また、本実施例では、スプール駆動軸を低速で回転させてフイルムカートリッジのスプールに嵌合させるようにしたが、これに限らず、嵌合検出スイッチによって嵌合が検出されない場合には、フイルム搬送装置における駆動手段が起動されないようにし、スプールが嵌合していないことを警告してもよい。
【００４２】
更に、本発明はフイルムスキャナに限らず、カメラ等にも適用することができる。
【００４３】
【発明の効果】
以上説明したように本発明に係るフイルム搬送装置によれば、スプール駆動軸がフイルムカートリッジのスプールと嵌合するように所定の期間、スプール駆動軸を標準のフイルム搬送速度よりも低速で駆動するようにしたため、スプール駆動軸をスプールに確実に嵌合することができる。本発明の他の態様によれば、スプール駆動軸とスプールとの嵌合が検出されるまでの期間、スプール駆動軸を標準のフイルム搬送速度よりも低速で駆動するようにしたため、更にスプール駆動軸をスプールに確実に嵌合させて所望のフイルム搬送を行うことができる。
【図面の簡単な説明】
【図１】図１は本発明に係るフイルム搬送装置を含むフイルムスキャナの一実施例を示すブロック図である。
【図２】図２は図１に示したフイルム搬送装置の要部平面図である。
【図３】図３はフイルムカートリッジのスプールと、このスプールと嵌合するスプール駆動軸を含むギアを示す要部断面図である。
【図４】図４は本発明に係るフイルム搬送装置におけるフイルムローディング時の動作の一実施例を示すフローチャートである。
【図５】図５は本発明に係るフイルム搬送装置におけるフイルムローディング時の動作の他の実施例を示すフローチャートである。
【図６】図６は本発明に係るフイルム搬送装置に使用されるフイルムカートリッジの一例を示す図である。
【符号の説明】
１０…蛍光灯、１２…撮影レンズ、１４…ＣＣＤラインセンサ、１６…画像処理装置、２０…フイルム、２２…フイルムカートリッジ、２２Ａ…スプール、３０…フイルム供給部、３１…モータ、３２、３２Ａ、３２Ｄ、３３、４６、５５Ａ、５６、５７…ギア、３３Ａ…スプール駆動軸、３３Ｂ…バネ、３３Ｃ…スイッチ駆動部材、３４…カートリッジ収納部、３５…嵌合検出スイッチ、４０…フイルム巻取部、４２…巻取リール、４４…押えローラ、５０…フイルムガイド部、５１、５２…キャプスタン、５３、５４…ピンチローラ、５５…キャプスタンモータ
【図１】
0003690521.tif 000002
【図２】
0003690521.tif 000003
【図３】
0003690521.tif 000004
【図４】
0003690521.tif 000005
【図５】
0003690521.tif 000006
【図６】
0003690521.tif 000007